(57)【要約】【課題】温度を検出する部品を用いることなく、記録媒体における温度変動を判定することが可能な画像形成装置、温度判定方法および温度判定プログラムを提供する。【解決手段】画像形成装置は、記録媒体を搬送方向に搬送する搬送部と、搬送方向に搬送される記録媒体に画像を形成する画像形成部と、記録媒体に形成された画像を検出する画像検出部と、画像検出部の検出結果に基づいて記録媒体の温度を判定する温度判定部と、を備える。【選択図】図２
2020179589.tif 000002
【特許請求の範囲】
【請求項１】
記録媒体を搬送方向に搬送する搬送部と、
前記搬送方向に搬送される前記記録媒体に画像を形成する画像形成部と、
前記記録媒体に形成された前記画像を検出する画像検出部と、
前記画像検出部の検出結果に基づいて前記記録媒体の温度を判定する温度判定部と、
を備える画像形成装置。
【請求項２】
前記画像検出部は、前記記録媒体の前記搬送方向と直交する幅方向における、前記画像の前記搬送方向の長さの情報を検出する、
請求項１に記載の画像形成装置。
【請求項３】
前記画像検出部は、前記記録媒体の前記搬送方向と直交する幅方向における、前記記録媒体の前記画像が形成された面の画像濃度の情報を検出する、
請求項１に記載の画像形成装置。
【請求項４】
前記画像検出部は、前記記録媒体の前記搬送方向と直交する幅方向における、前記記録媒体の前記画像が形成された面とは反対側の面の画像濃度の情報を検出する、
請求項１に記載の画像形成装置。
【請求項５】
前記画像形成部は、前記温度判定部が前記記録媒体の温度を判定する場合、前記記録媒体の前記搬送方向と直交する幅方向全域に読み取り用の画像を形成する、
請求項１〜４の何れか１項に記載の画像形成装置。
【請求項６】
前記記録媒体の前記搬送方向と直交する幅方向の所定位置の温度を検出する温度検出部を備え、
前記画像形成部は、前記温度判定部が前記記録媒体の温度を判定する場合、前記記録媒体の前記幅方向において、前記所定位置に対応する領域以外の領域に読み取り用の画像を形成する、
請求項１〜４の何れか１項に記載の画像形成装置。
【請求項７】
前記記録媒体の前記搬送方向と直交する幅方向の所定位置の温度を検出する温度検出部を備え、
前記温度判定部は、前記温度検出部の検出結果に基づいて、判定した前記記録媒体の温度を補正する、
請求項１〜６の何れか１項に記載の画像形成装置。
【請求項８】
前記温度判定部により判定された前記記録媒体の温度が適正範囲内であるか否かについて判定する適正範囲判定部を備える、
請求項１〜７の何れか１項に記載の画像形成装置。
【請求項９】
前記適正範囲は、前記記録媒体の種類に応じて設定される、
請求項８に記載の画像形成装置。
【請求項１０】
前記適正範囲判定部により前記温度が前記適正範囲内ではないと判定された場合、前記記録媒体の温度を調整する温度調整部を備える、
請求項８または請求項９に記載の画像形成装置。
【請求項１１】
前記画像形成部は、前記温度判定部の判定結果に基づいて、前記記録媒体への画像形成条件を変更する、
請求項１〜１０の何れか１項に記載の画像形成装置。
【請求項１２】
前記画像形成部は、インク滴を吐出することにより、前記記録媒体に画像を形成する、
請求項１〜１１の何れか１項に記載の画像形成装置。
【請求項１３】
記録媒体を搬送方向に搬送する搬送部と、前記搬送方向に搬送される前記記録媒体に画像を形成する画像形成部と、を備える画像形成装置の記録媒体の温度判定方法であって、
前記記録媒体に形成された前記画像を検出し、
前記画像の検出結果に基づいて前記記録媒体の温度を判定する温度判定方法。
【請求項１４】
記録媒体を搬送方向に搬送する搬送部と、前記搬送方向に搬送される前記記録媒体に画像を形成する画像形成部と、を備える画像形成装置の温度判定プログラムであって、
コンピューターに、
前記記録媒体に形成された前記画像を検出する画像検出処理と、
前記画像検出処理の検出結果に基づいて前記記録媒体の温度を判定する温度判定処理と、
を実行させる温度判定プログラム。
【発明の詳細な説明】
【技術分野】
【０００１】
本発明は、画像形成装置、温度判定方法および温度判定プログラムに関する。
【背景技術】
【０００２】
従来、画像形成装置においては、画像が形成される記録媒体の温度が適正範囲外である場合、画像品質が劣化することが知られている。このような画像品質の劣化を抑制するために、例えば特許文献１では、記録媒体の低カバレッジの領域を探索し、その探索した領域の温度を温度センサーにより検出し、その検出結果に基づいて記録媒体の温度を調整可能な構成が開示されている。
【先行技術文献】
【特許文献】
【０００３】
【特許文献１】特開２０１６−１６８７５６号公報
【発明の概要】
【発明が解決しようとする課題】
【０００４】
しかしながら、特許文献１に記載の構成では、温度センサーで検出する位置における、記録媒体の温度のみを検出するので、温度センサーで検出していない位置の温度については検出することができない。すなわち、当該構成では、温度センサーで検出していない位置の温度が、当該記録媒体の適正範囲外である場合、なおも画像品質の劣化が発生するというおそれがあった。
【０００５】
本発明の目的は、温度を検出する部品を用いることなく、記録媒体における温度変動を判定することが可能な画像形成装置、温度判定方法および温度判定プログラムを提供することである。
【課題を解決するための手段】
【０００６】
本発明に係る画像形成装置は、
記録媒体を搬送方向に搬送する搬送部と、
前記搬送方向に搬送される前記記録媒体に画像を形成する画像形成部と、
前記記録媒体に形成された前記画像を検出する画像検出部と、
前記画像検出部の検出結果に基づいて前記記録媒体の温度を判定する温度判定部と、
を備える。
【０００７】
本発明に係る温度判定方法は、
記録媒体を搬送方向に搬送する搬送部と、前記搬送方向に搬送される前記記録媒体に画像を形成する画像形成部と、を備える画像形成装置の記録媒体の温度判定方法であって、
前記記録媒体に形成された前記画像を検出し、
前記画像の検出結果に基づいて前記記録媒体の温度を判定する。
【０００８】
本発明に係る温度判定プログラムは、
記録媒体を搬送方向に搬送する搬送部と、前記搬送方向に搬送される前記記録媒体に画像を形成する画像形成部と、を備える画像形成装置の温度判定プログラムであって、
コンピューターに、
前記記録媒体に形成された前記画像を検出する画像検出処理と、
前記画像検出処理の検出結果に基づいて前記記録媒体の温度を判定する温度判定処理と、
を実行させる。
【発明の効果】
【０００９】
本発明によれば、温度を検出する部品を用いることなく、記録媒体における温度変動を判定することができる。
【図面の簡単な説明】
【００１０】
【図１】本発明の実施の形態に係る画像形成装置の概略構成を示す図である。
【図２】画像形成装置の主要な機能構成を示すブロック図である。
【図３】画像の搬送方向の長さと記録媒体の温度との関係を示す図である。
【図４】読み取り画像の一例を示す図である。
【図５】記録媒体の幅方向の位置毎の、読み取り画像の長さの変化の一例を示す図である。
【図６】図５に示す読み取り画像の長さに基づいて算出された温度の一例を示す図である。
【図７】温度検出部の検出結果に基づく記録媒体の温度の補正の一例を示す図である。
【図８】画像形成装置における記録媒体の温度判定制御を実行するときの動作例の一例を示すフローチャートである。
【図９】画像の搬送方向の濃度と記録媒体の温度との関係を示す図である。
【図１０】記録媒体の種類毎の、画像の濃度と温度との関係を示す図である。
【図１１】記録媒体の種類と適正範囲とを関連付けたテーブルである。
【発明を実施するための形態】
【００１１】
以下、本発明の実施の形態を図面に基づいて詳細に説明する。図１は、本発明の実施の形態に係る画像形成装置１の概略構成を示す図である。
【００１２】
図１に示すように、画像形成装置１は、インクジェット方式の画像形成装置であり、ベルト搬送装置２、記録ヘッド３、画像検出部４および温度検出部５等を備えている。
【００１３】
ベルト搬送装置２には、所定の間隔をおいて平行に配置された駆動ローラー２１および従動ローラー２２に亘って所定幅の無端状の搬送ベルト２３が張架されている。駆動ローラー２１および従動ローラー２２に架け渡された搬送ベルト２３の上面は、記録媒体Ｐを密着させて載置する載置面とされている。ベルト搬送装置２は、本発明の「搬送部」に対応する。
【００１４】
なお、搬送ベルト２３の表面には、搬送中の記録媒体Ｐを搬送ベルト２３の上面に密着させるために、地張りと呼ばれる粘着剤が塗布されている。また、駆動ローラー２１は、図示しない副走査モーターによって駆動される。
【００１５】
ベルト搬送装置２では、駆動ローラー２１が副走査モーターの回転駆動によって、図１中の反時計方向（矢印を参照）に所定速度で回転することにより、従動ローラー２２との間に架け渡された搬送ベルト２３を回転移動させる。かかる動作により、搬送ベルト２３の上面に載置されている記録媒体Ｐは、副走査方向である図中の矢印Ａ方向に向けて搬送される。
【００１６】
記録媒体Ｐには、例えば、紙、布帛、プラスチックフィルム、ガラス板等、インクジェット記録に通常使用される記録媒体を使用することができる。記録媒体Ｐは、所定サイズに裁断されたシート状であってもよいし、ロール状に巻回された元巻から連続して繰り出される長尺状であってもよい。
【００１７】
なお、ベルト搬送装置２における記録媒体Ｐの搬送面とは反対側には、図示しないベルトクリーニング装置が設けられている。このベルトクリーニング装置によって、搬送ベルト２３に付着した異物が除去される。
【００１８】
また、ベルト搬送装置２には、温度調整部２４が設けられている。温度調整部２４は、例えばファン等の冷却装置やヒーター等の加温装置を含む。温度調整部２４は、制御部１００の制御の下、搬送ベルト２３の温度を調整することにより記録媒体Ｐの温度を調整する。
【００１９】
記録ヘッド３は、複数の記録素子（インクジェットヘッド）を有しており、搬送ベルト２３上の記録媒体Ｐが載置される面の上方に所定の間隔をおいて配設されている。記録ヘッド３は、その下面に設けられた多数のノズルからインク滴を吐出することにより、搬送ベルト２３の回転移動によって搬送される記録媒体Ｐ上に所望の画像を記録する。
【００２０】
本実施の形態では、記録ヘッド３は、図示しないキャリッジに搭載されて、間欠的に搬送される記録媒体Ｐの搬送方向と直交する主査方向に往復移動するシャトル型の記録ヘッドが用いられる。この場合、記録時に、搬送ベルト２３は、待機状態と駆動状態を繰り返す間欠動作を行うように、駆動ローラー２１の駆動が制御される。
【００２１】
なお、記録ヘッド３は、搬送ベルト２３の幅方向に亘って固定状に架け渡され、連続的に搬送される記録媒体Ｐ上にインク滴を吐出することによって画像を記録するライン型の記録ヘッドであってもよい。この場合、記録時に、搬送ベルト２３は、連続的に移動（回転動作）するように、駆動ローラー２１の駆動が制御される。
【００２２】
画像検出部４は、例えばスキャナーであり、搬送方向において記録ヘッド３よりも下流側に設けられている。画像検出部４は、記録媒体Ｐに形成された画像を検出する。具体的には、画像検出部４は、記録媒体Ｐの搬送方向と直交する幅方向全域における、画像の搬送方向の長さの情報を検出する。
【００２３】
温度検出部５は、搬送方向において記録ヘッド３よりも上流側に設けられ、記録媒体Ｐの幅方向の所定位置の温度を検出する温度センサーである。所定位置は、例えば記録媒体Ｐの幅方向の中央位置である（例えば、図４参照）。なお、所定位置は、中央位置以外の位置であっても良い。
【００２４】
図２は、画像形成装置１の主要な機能構成を示すブロック図である。画像形成装置１は、制御部１００、記録ヘッド駆動部１１０、搬送駆動部１２０、入出力インターフェース１３０、温度判定部１４０および適正範囲判定部１５０を備える。
【００２５】
制御部１００は、ＣＰＵ１０１（Central Processing Unit）、ＲＡＭ１０２（Random Access Memory）、ＲＯＭ１０３（Read Only Memory）および記憶部１０４を有する。
【００２６】
ＣＰＵ１０１は、ＲＯＭ１０３に記憶された各種制御用のプログラムや設定データを読み出してＲＡＭ１０２に記憶させ、当該プログラムを実行して各種の演算処理を行う。また、ＣＰＵ１０１は、画像形成装置１の全体動作を統括的に制御する。
【００２７】
ＲＡＭ１０２は、ＣＰＵ１０１に作業用のメモリー空間を提供し、一時データを記憶する。なお、ＲＡＭ１０２は、不揮発性メモリーを含んでいても良い。
【００２８】
ＲＯＭ１０３は、ＣＰＵ１０１により実行される各種制御用のプログラムや設定データ等を格納する。なお、ＲＯＭ１０３に代えて、ＥＥＰＲＯＭ（Electrically Erasable Programmable Read Only Memory）やフラッシュメモリー等の書き換え可能な不揮発性メモリーが用いられても良い。
【００２９】
記憶部１０４には、入出力インターフェース１３０を介して外部装置６から入力されたプリントジョブ（画像記録命令）および当該プリントジョブに係る画像データが記憶される。記憶部１０４としては、例えばＨＤＤ（Hard Disk Drive）が用いられ、また、ＤＲＡＭ（Dynamic Random Access Memory）等が併用されても良い。
【００３０】
記録ヘッド駆動部１１０は、制御部１００の制御に基づいて記録ヘッド３に対して適切なタイミングで画像データに応じた駆動信号を供給することにより、記録ヘッド３のノズルから画像データの画素値に応じた量のインクを吐出させる。記録ヘッド３および記録ヘッド駆動部１１０は、本発明の「画像形成部」に対応する。
【００３１】
搬送駆動部１２０は、制御部１００の制御に基づいて駆動ローラー２１の副走査モーターに駆動信号を供給することにより、搬送ベルト２３を所定の速度およびタイミングで回転移動させる。
【００３２】
入出力インターフェース１３０は、外部装置６と制御部１００との間におけるデータの送受信を媒介する。入出力インターフェース１３０は、例えば各種シリアルインターフェース、各種パラレルインターフェースの何れか、または、これらの組み合わせで構成される。
【００３３】
外部装置６は、例えばパーソナルコンピューターであり、入出力インターフェース１３０を介して画像記録命令（プリントジョブ）および画像データ等を制御部１００に供給する。
【００３４】
温度判定部１４０は、画像検出部４の検出結果に基づいて記録媒体Ｐの温度を判定する。具体的には、温度判定部１４０は、以下の式（１）を用いて、画像の幅方向全域における記録媒体Ｐの温度を算出する。
【００３５】
Ｙ＝ａＸ＋ｂ・・・（１）
【００３６】
Ｙは、記録媒体Ｐの温度である。Ｘは、幅方向の任意の位置における画像の搬送方向の長さである。ａは、図３における破線Ｌ１の傾きであり、図３に示す例では０．７である。ｂは、図３における破線Ｌ１の切片であり、図３に示す例では−３１．９である。式（１）およびａ，ｂの値は、例えば記憶部１０４に記憶されている。
【００３７】
記録媒体Ｐの温度と、画像の搬送方向の長さとの関係は例えば、図３に示す破線Ｌ１のように変動することが確認されている。図３における縦軸は、記録媒体Ｐの温度であり、図３における横軸は、画像の搬送方向の長さである。また、図３における画像は、記録媒体Ｐの幅方向に延びる線状の画像である。
【００３８】
具体的には、記録媒体Ｐの温度が高くなると、記録媒体Ｐの搬送方向の長さが長くなる。これは、記録媒体Ｐの温度上昇によって、記録ヘッド３から吐出されるインクが記録媒体Ｐ上で染みこみやすくなったり、濃度が大きくなりやすくなって画像が太くなるためである。また、記録媒体Ｐの温度低下によって、インクが記録媒体Ｐ上で染みこみにくくなったり、濃度が小さくなりやすくなって画像が細くなるためである。
【００３９】
制御部１００は、温度判定部１４０が記録媒体Ｐの温度を判定する場合、記録媒体Ｐの幅方向全域に読み取り用の画像（以下、「読み取り画像」）を形成するように記録ヘッド駆動部１１０を制御する。
【００４０】
例えば、図４に示すように、記録媒体Ｐの幅方向の全域に読み取り画像Ｇが形成されたとする。読み取り画像Ｇは、搬送方向の長さが幅方向において一定となるように形成された線状の画像である。図４における左右方向は、記録媒体Ｐの幅方向であり、上下方向は、記録媒体Ｐの搬送方向である。
【００４１】
記録媒体Ｐが搬送されると、画像検出部４によって、例えば、図５に示すように、読み取り画像Ｇの幅方向の各位置における、搬送方向の長さの情報が検出される。図４に示す例では、搬送方向の長さが、幅方向において、比較的小さい振幅で振動するように変化している。
【００４２】
温度判定部１４０は、幅方向における各位置での長さの情報を取得し、上記式（１）のＸに当該情報を代入して、幅方向における各位置での記録媒体Ｐの温度をそれぞれ算出する。
【００４３】
このようにすることで、例えば、図６に示すように、図５に示す搬送方向の長さと同様の態様で変動する温度の情報が算出される。つまり、本実施の形態では、温度検出部５がない領域を含む幅方向全域における記録媒体Ｐの温度を不足なく算出することができる。
【００４４】
適正範囲判定部１５０は、温度判定部１４０により算出（判定）された温度が適正範囲内であるか否かについて判定する。適正範囲は、記録媒体Ｐにおいて所望の画像が形成される温度範囲であり、例えば実験等によって定められた範囲に予め設定されている。
【００４５】
制御部１００は、適正範囲判定部１５０の判定結果を取得し、温度が適正範囲内ではないと判定された位置が幅方向で存在する場合、温度調整部２４を制御して記録媒体Ｐの温度を調整する。
【００４６】
例えば、温度が適正範囲を超える場合、制御部１００は、記録媒体Ｐの温度が低下するように温度調整部２４を制御する。また、温度が適正範囲を下回る場合、制御部１００は、記録媒体Ｐの温度が上昇するように温度調整部２４を制御する。
【００４７】
このようにすることで、記録媒体Ｐの温度を適正範囲内にすることができるので、記録ヘッド３の画像形成における画像の品質を向上させることができる。
【００４８】
なお、適正範囲判定部１５０は、記録媒体Ｐの温度が適正範囲を超えた場合に、温度が適正範囲内ではないと判定しても良いし、適正範囲内の温度が適正範囲の上下限に対して所定の範囲内まで近づいた場合、温度が適正範囲内ではないと判定しても良い。また、制御部１００は、常時温度調整部２４によって記録媒体Ｐの温度を調整していても良い。
【００４９】
ところで、温度検出部５の検出結果と、温度判定部１４０による判定結果との差が大きくなる場合がある。この理由としては、記録媒体Ｐに形成された画像は、記録媒体Ｐの温度変動以外の要因でも変動する可能性があるからである。
【００５０】
温度検出部５による検出結果は、上述の所定位置のみであるので、例えば図７に示す点Ｔのみが温度検出部５によって検出される。そのため、温度判定部１４０は、温度判定部１４０による判定結果のうち、所定位置での判定温度（実線の点Ｔに対応する位置）と、温度検出部５での検出温度（点Ｔ）との差分を算出する。
【００５１】
そして、温度判定部１４０は、当該差分の絶対値が所定値以上である場合、幅方向における各位置における温度に当該差分を加算して温度を補正する（破線参照）。所定値は、記録媒体Ｐにおける適正範囲に応じて適宜設定可能な値である。
【００５２】
つまり、温度判定部１４０は、温度検出部５の検出結果に基づいて、判定した記録媒体Ｐの温度を補正する。このようにすることで、温度判定の精度を向上させることができる。
【００５３】
次に、画像形成装置１における記録媒体Ｐの温度判定制御を実行するときの動作例について説明する。図８は、画像形成装置１における記録媒体Ｐの温度判定制御を実行するときの動作例の一例を示すフローチャートである。図８における処理は、制御部１００がプリントジョブの実行指令を受け付けた際に適宜実行される。
【００５４】
図８に示すように、制御部１００は、読み取り画像を記録媒体Ｐに形成するように記録ヘッド駆動部１１０を制御する（ステップＳ１０１）。制御部１００は、記録媒体Ｐの読み取り画像の検出結果を画像検出部４から取得する（ステップＳ１０２）。読み取り画像の検出結果を取得した後、制御部１００は、読み取り画像の情報から記録媒体Ｐの温度を算出する（ステップＳ１０３）。
【００５５】
次に、制御部１００は、温度検出部５の検出結果に基づく検出温度と、ステップＳ１０３で算出した記録媒体Ｐの温度（判定温度）との差分が所定値未満であるか否かについて判定する（ステップＳ１０４）。
【００５６】
判定の結果、上記の差分が所定値以上である場合（ステップＳ１０４、ＮＯ）、制御部１００は、上記の差分に基づいて判定温度を補正する（ステップＳ１０５）。ステップＳ１０５の後、処理はステップＳ１０６に遷移する。一方、上記の差分が所定値未満である場合（ステップＳ１０４、ＹＥＳ）、制御部１００は、記録媒体Ｐの温度が適正範囲内であるか否かについて判定する（ステップＳ１０６）。
【００５７】
判定の結果、記録媒体Ｐの温度が適正範囲内である場合（ステップＳ１０６、ＹＥＳ）、本制御は終了する。一方、記録媒体Ｐの温度が適正範囲外である場合（ステップＳ１０６、ＮＯ）、制御部１００は、記録媒体Ｐの温度が適正範囲内になるように記録媒体Ｐの温度を調整する（ステップＳ１０７）。ステップＳ１０７の後、本制御は終了する。
【００５８】
以上のように構成された本実施の形態によれば、記録媒体Ｐに形成された画像の情報に基づいて記録媒体Ｐの温度を判定するので、温度検出部５のない領域における記録媒体Ｐの温度を検出することができる。すなわち、本実施の形態では、温度を検出する部品を用いることなく、記録媒体Ｐの温度変動を判定することができる。
【００５９】
また、記録媒体Ｐの温度を判定する場合、記録媒体Ｐの幅方向全域に読み取り画像を形成するので、記録媒体Ｐの幅方向における温度変動を不足なく判定することができる。
【００６０】
また、温度検出部５の検出結果に基づいて、記録媒体Ｐの判定温度を補正するので、記録媒体Ｐの温度変動の判定精度を向上させることができる。
【００６１】
また、記録媒体Ｐの温度が適正範囲外である場合、温度調整部２４によって記録媒体Ｐの温度調整を行うので、記録媒体Ｐの温度を適正範囲内に維持することができ、ひいては画像の品質を向上させることができる。
【００６２】
なお、上記実施の形態では、画像検出部４が記録媒体Ｐの幅方向における、搬送方向の長さの情報を検出していたが、本発明はこれに限定されず、記録媒体Ｐの画像が形成された面から反射される画像濃度の情報を検出しても良い。
【００６３】
図９に示す破線Ｌ２のように、記録媒体Ｐに形成された画像の濃度が大きくなるにつれ記録媒体Ｐの温度が低下することが確認されている。そのため、上記の式（１）の傾きａおよび切片ｂを図９における破線Ｌ２の傾きおよび切片とすることで、温度判定部１４０は、記録媒体Ｐの表面の反射濃度の情報に基づいて、記録媒体Ｐの温度を判定することができる。
【００６４】
図９における破線Ｌ２の傾きａは、−２．２８であり、図９における破線Ｌ２の切片ｂは、９２．３であり、これらの値は、例えば記憶部１０４に記憶されている。図９等における濃度は、例えば、ＣＩＥ  Ｌ＊ａ＊ｂ表色系におけるＬ＊値である。
【００６５】
また、画像検出部４は、記録媒体Ｐの画像が形成された面とは反対側の面の画像濃度の情報を検出するようにしても良い。ただし、記録媒体Ｐに形成された画像の検出精度の観点から、記録媒体Ｐにおける画像が形成された面から反射される画像濃度の情報を検出することが好ましい。
【００６６】
また、上記実施の形態では、上述の式（１）によって、記録媒体Ｐの温度を算出して他が、本発明はこれに限定されない。例えば、記憶部１０４に、式（１）等を用いて算出した温度と、画像の搬送方向の長さとを関連付けたテーブルを記憶させておき、温度判定部１４０が記憶部１０４を参照することで、記録媒体Ｐの温度を判定しても良い。
【００６７】
また、上記実施の形態では、適正範囲が予め設定されていたが、本発明はこれに限定されず、記録媒体Ｐの種類に応じて設定されていても良い。
【００６８】
図１０に示すように、記録媒体Ｐの物性値（例えば、浸透度や透気度等）によって、適正範囲が異なることが知られている。図１０では、物性値がそれぞれ異なる記録媒体Ｐの種類Ｂ１〜Ｂ６に形成された画像の濃度と温度との関係が示されている。
【００６９】
そのため、例えば、図１１に示すように、記録媒体Ｐの種類（銘柄等）毎に適正範囲を設定して、記録媒体Ｐの種類と、適正範囲とを関連付けたテーブルを記憶部１０４等に記憶させておく。図１１における適正範囲は、記録媒体Ｐの温度の下限値から上限値までの範囲である。
【００７０】
そして、適正範囲判定部１５０が、記録媒体Ｐの種類に応じて記憶部１０４を参照して、対応する適正範囲を選択して、記録媒体Ｐの温度を判定する。
【００７１】
このようにすることで、記録媒体Ｐの種類毎に定められた適正範囲に基づいて、記録媒体Ｐの温度を適切に調整することができる。なお、記録媒体Ｐの物性値毎に適正範囲が設定されていても良い。
【００７２】
また、上記実施の形態では、記録媒体Ｐの幅方向全域に読み取り画像Ｇを形成していたが、本発明はこれに限定されず、どのような読み取り画像Ｇであっても良い。例えば、記録媒体Ｐにおける、温度検出部５の所定位置に対応する領域以外の領域に読み取り画像を形成しても良い。
【００７３】
例えば、図４に示すように、温度検出部５が幅方向の中央位置に配置されているので、制御部１００は、中央位置以外の位置に読み取り画像を形成するように記録ヘッド３を制御する。
【００７４】
このようにすることで、中央位置の温度については温度検出部５の検出結果により検出し、中央位置以外の温度については、温度判定部１４０の判定結果により検出することができる。その結果、記録媒体Ｐの幅方向全域について不足なく温度を検出することができ、かつ、幅方向全域に読み取り画像を形成する構成と比較して、読み取り画像に用いるインク量を節約することができる。
【００７５】
また、上記実施の形態では、温度調整部２４により記録媒体Ｐの温度を調整していたが、本発明はこれに限定されない。例えば、制御部１００が、温度判定部１４０の判定結果に基づいて、記録媒体Ｐへの画像形成条件を変更するように記録ヘッド３を制御しても良い。
【００７６】
例えば、制御部１００は、記録媒体Ｐの温度が高い場合、インクが記録媒体Ｐに染みこみやすくなるので、インク量を減少させるように記録ヘッド３を制御する。また、制御部１００は、記録媒体Ｐの温度が低い場合、インクが記録媒体Ｐに染みこみにくくなるので、インク量を増大させるように記録ヘッド３を制御する。
【００７７】
これにより、画像の品質を向上させることができる。また、温度調整部２４と併用して記録媒体Ｐへの画像形成条件を変更するようにしても良い。
【００７８】
また、上記実施の形態では、温度検出部５が搬送方向において記録ヘッド３よりも上流側に設けられていたが、本発明はこれに限定されず、記録ヘッド３よりも下流側に設けられていても良い。ただし、記録媒体Ｐの温度の画像形成への影響度を考慮すると、温度検出部５が記録ヘッド３よりも上流側に設けられていることが好ましい。
【００７９】
また、上記実施の形態では、温度検出部５が設けられていたが、本発明はこれに限定されず、温度検出部５が設けられていなくても良い。
【００８０】
また、上記実施の形態では、温度判定部１４０および適正範囲判定部１５０が、別々に設けられていたが、本発明はこれに限定されない。例えば、温度判定部および適正範囲判定部が制御部に組み込まれていても良い。
【００８１】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８２】
１  画像形成装置
２  ベルト搬送装置
３  記録ヘッド
４  画像検出部
５  温度検出部
６  外部装置
２１  駆動ローラー
２２  従動ローラー
２３  搬送ベルト
２４  温度調整部
１００  制御部
１１０  記録ヘッド駆動部
１２０  搬送駆動部
１３０  入出力インターフェース
１４０  温度判定部
１５０  適正範囲判定部
【図１】
2020179589.tif 000003
【図２】
2020179589.tif 000004
【図３】
2020179589.tif 000005
【図４】
2020179589.tif 000006
【図５】
2020179589.tif 000007
【図６】
2020179589.tif 000008
【図７】
2020179589.tif 000009
【図８】
2020179589.tif 000010
【図９】
2020179589.tif 000011
【図１０】
2020179589.tif 000012
【図１１】
2020179589.tif 000013